(57)【特許請求の範囲】
【請求項１】
吸込み口と吹出し口を連通して設けた空気流路を有する本体ケースと、本体ケースの吸込み口に取り付けられたフロントパネルと、前記空気流路を通風する送風ファンと、前記空気流路に設けられた直方体形状を成したフィルタと、前記フィルタの外周部に並列した位置に設けられ、通過する空気中に含まれる汚染物質を捕集し、成分を分析するために着脱可能な直方体を成した捕集分析部材と、前記捕集分析部材を収納するための収納ケースとを備える空気清浄装置であって、前記収納ケースは前記捕集分析部材の通風する上流面と下流面に合わせて２面を開閉できる蓋を備えた箱形状であり、前記収納ケースと前記捕集分析部材は一体構造であり、前記捕集分析部材を本体ケースから取り出すことで、収納ケースがそのまま梱包材として利用できることを特徴とする空気清浄装置。
【請求項２】
収納ケースは、対向する２面の蓋が開いた状態で空気清浄機に設置されており、且つ、上流側の蓋は、着脱時に上流側に迫り出していることを特徴とする請求項１記載の空気清浄装置。
【請求項３】
フロントパネルに蓋押さえ部を具備しており、フロントパネル装着時には上流側の蓋が前記蓋押さえ部によって覆われ、外気に触れないことを特徴とする請求項１または２記載の空気清浄装置。
【請求項４】
収納ケースの蓋は、捕集分析部材のろ過面以外の面が剥離紙で覆われた接着シールになっていることを特徴とする請求項１乃至３いずれかに記載の空気清浄装置。
【請求項５】
収納ケースの蓋は、捕集分析部材のろ過面を含む全面が剥離紙で覆われた接着シールになっていることを特徴とする請求項１乃至３いずれかに記載の空気清浄装置。
【請求項６】
収納ケースの上流側の蓋の外側表面に少なくとも１箇所の引き出すためのつまみが具備されていることを特徴とする請求項１乃至５いずれかに記載の空気清浄装置。
【請求項７】
収納ケースの外層面に分析機関への送付先が印字されていることを特徴とする請求項１乃至６いずれかに記載の空気清浄装置。
【請求項８】
収納ケースの外層面に捕集分析部材の上流側の位置表示が為されていることを特徴とする請求項１乃至７いずれか記載の空気清浄装置。
【発明の詳細な説明】
【技術分野】
【０００１】
本発明は、汚染物質の分析をするための捕集分析部材を備えた空気清浄装置に関するものである。
【背景技術】
【０００２】
近年、花粉、黄砂、ディーゼル排気粒子、ウイルス等の微粒子、ＮＯｘやＳＯｘ等のガス状化学物質、ホルムアルデヒド等の揮発性化学物質等の汚染物質による空気質汚染が進んでおり、大きな社会問題となっている。これら汚染物質は室内にも侵入し、日々の生活にも影響を与えている。これら汚染物質の低減に対し、効果的な措置を講じるには、例えば空気清浄機のような内部に集塵フィルタを内蔵した装置によって室内空気を循環させて、集塵フィルタで汚染物質を除去することが効果的ではあるが、加えて、どのような汚染物質がどの程度の量室内に存在しているのかを定性、定量的に分析することが重要である。
そこで、室内の汚染物質を分析する手段として、エアコンなどの空気調和機のフィルタに浮遊物を捕集し、サービスエンジニアがフィルタを回収して分析場所に搬送する方法が提案されている（例えば、特許文献１参照）。
【先行技術文献】
【特許文献】
【０００３】
【特許文献１】特開２００４−１８３９２５号公報
【発明の概要】
【発明が解決しようとする課題】
【０００４】
しかし、上記特許文献１の従来例においては、フィルタ回収時にサービスエンジニアなどの部外者に来てもらわなければならず、そのためには使用者が業者に連絡を取り、指定した回収日時には在宅していなければならないため、使用者にとっては非常に煩雑であった。一方で、使用者自らがフィルタを分析機関に送付する手段が考えられるが、汚れたフィルタを本体から取り外し、梱包して送付するなどの作業が必要となるため、不衛生且つ煩雑な作業であることは容易に想像ができる。
【０００５】
本発明は上記課題を鑑みなされたものであり、使用者が簡便且つ衛生的に室内の空気質分析情報を得ることのできる空気清浄装置を提供することを目的とするものである。
【課題を解決するための手段】
【０００６】
そして、この目的を達成するために、本発明は、吸込み口と吹出し口を連通して設けた空気流路を有する本体ケースと、本体ケースの吸込み口に取り付けられたフロントパネルと、前記空気流路を通風する送風ファンと、前記空気流路に設けられた直方体形状を成したフィルタと、前記フィルタの外周部に並列した位置に設けられ、通過する空気中に含まれる汚染物質を捕集し、成分を分析するために着脱可能な直方体を成した捕集分析部材と、前記捕集分析部材を収納するための収納ケースとを備える空気清浄装置であって、前記収納ケースは前記捕集分析部材の通風する上流面と下流面に合わせて２面を開閉できる蓋を備えた箱形状であり、前記収納ケースと前記捕集分析部材は一体構造であり、前記捕集分析部材を本体ケースから取り出すことで、収納ケースがそのまま梱包材として利用できることを特徴とするものであり、これにより所期の目的を達成するものである。
【発明の効果】
【０００７】
すなわち、本発明によれば、捕集分析部材が予め収納ケースと一体で空気清浄装置に収
まっているので、室内の汚染物質を捕集した捕集分析部材を本体ケースから取り外した際に、収納ケースがそのまま梱包財として利用できるために、使用者自らが簡便に捕集分析部材を分析機関へ送付することができる。
【図面の簡単な説明】
【０００８】
【図１】実施の形態１における空気清浄装置の本体構成を示す概略断面図
【図２】同捕集分析部材と収納ケースの構成を示す概略断面図
【図３】同捕集分析部材の蓋を閉じたときの構成を示す概略断面図
【図４】同フロントパネルと蓋押さえ部の構成を示す概略断面図
【図５】実施の形態２における捕集分析部材と収納ケースの構成を示す概略断面図
【図６】同剥離接着シールを備えた構成を示す図
【発明を実施するための形態】
【０００９】
本発明の請求項１に係わる空気清浄装置は、吸込み口と吹出し口を連通して設けた空気流路を有する本体ケースと、本体ケースの吸込み口に取り付けられたフロントパネルと、前記空気流路を通風する送風ファンと、前記空気流路に設けられた直方体形状を成したフィルタと、前記フィルタの外周部に並列した位置に設けられ、通過する空気中に含まれる汚染物質を捕集し、成分を分析するために着脱可能な直方体を成した捕集分析部材と、前記捕集分析部材を収納するための収納ケースとを備える空気清浄装置であって、前記収納ケースは前記捕集分析部材の通風する上流面と下流面に合わせて２面を開閉できる蓋を備えた箱形状であり、前記収納ケースと前記捕集分析部材は一体構造であり、前記捕集分析部材を本体ケースから取り出すことで、収納ケースがそのまま梱包材として利用できることを特徴としている。
【００１０】
これにより、室内の汚染物質を捕集した捕集分析部材を本体ケースから取り外した際に、収納ケースがそのまま梱包財として利用できるために、使用者自らが簡便に捕集分析部材を分析機関へ送付することができる。
【００１１】
また、請求項２に係わる空気清浄装置は、収納ケースは、対向する２面のフタが開いた状態で空気清浄機に設置されており、且つ、上流側の蓋は、着脱時に上流側に迫り出していることを特徴とするものである。
【００１２】
これにより捕集分析部材が本体ケースに収まった状態で蓋をすることができるため、汚染物質が蓄積した捕集分析部材に手を触れることなく取りはずしが容易にできる。
【００１３】
また、請求項３に係わる空気清浄装置は、フロントパネルに蓋押さえ部を具備しており、フロントパネル装着時には上流側の蓋が前記蓋押さえ部によって覆われ、外気に触れないことを特徴とするものである。
【００１４】
これにより空気清浄装置運転中は蓋に風が当たらないため、蓋が汚れることがない。そして、使用者がフロントパネルを開けて、捕集分析部材に蓋をする際には清潔な状態で蓋に触れることができるため衛生的である。
【００１５】
また、請求項４に係わる空気清浄装置は、収納ケースの蓋は、蓋をした際に捕集分析部材の捕集面以外の面に接する部分が剥離紙で覆われた接着シールになっていることを特徴とする。
【００１６】
これにより、使用者は捕集分析部材が本体ケースに収まった状態でありながら、剥離紙を剥がして蓋をするだけで捕集分析部材を密閉することができ、取り外しの際の振動によって汚染物質が再飛散することなく、簡便且つ衛生的に取り外しすることができる。
また、請求項５に係わる空気清浄装置は、収納ケースの蓋は、蓋をした際に捕集分析部材の捕集面を含む全面が剥離紙で覆われた接着シールになっていることを特徴とする。
【００１７】
これにより、使用者は捕集分析部材が本体ケースに収まった状態でありながら、剥離紙を剥がして蓋をするだけで捕集分析部材を密閉することができ、取り外しの際の振動によって汚染物質が再飛散することなく、簡便且つ衛生的に取り外しすることができ、且つ捕集した汚染物質が蓋の接着面に転写されるため、送付先の分析機関で分析する際に、簡便に分析ができる。
【００１８】
また、請求項６に係わる空気清浄装置は、収納ケースの上流側の蓋の外側表面に少なくとも１箇所の引き出すためのつまみが具備されていることを特徴とする。
【００１９】
これにより、収納ケースの蓋を閉じた後につまみを持って本体ケースから引き出せるため、手を汚さずに捕集分析部材を取り外すことができる。
【００２０】
また、請求項７に係わる空気清浄装置は、収納ケースの外表面に分析機関への送付先が印字されていることを特徴とする。これにより、使用者は取り外した捕集分析部材をそのまま発送することができる。
【００２１】
また、請求項８に係わる空気清浄装置は、収納ケースの外表面に捕集分析部材の上流側の位置表示が為されていることを特徴とする。これにより、分析機関で分析する際に捕集面か判別できるため、簡便に分析をすることができる。また、開梱の際に捕集した汚染物質が飛散することを防止できるため、安全に分析することができる。
【００２２】
以下、本発明の実施の形態について図面を参照しながら説明する。実施の形態として本発明の捕集分析部材を空気清浄装置に備えたものを例として示すが、本例に限定されるものではない。
【００２３】
（実施の形態１）
本発明の実施の形態１を、添付図面を用いて説明する。
【００２４】
まず初めに、空気清浄装置１の本体ケース２内部に具備されたフィルタ４及び捕集分析部材５の形態及び配置構成について説明する。
【００２５】
図１に示すように、本実施形態の空気清浄装置１は、本体ケース２内に送風ファン３とフィルタ４と捕集分析部材５とを備えている。
【００２６】
本体ケース２は、略縦長箱形状で、この本体ケース２の前面にフロントパネル１０が設けられており、本体ケースとフロントパネルの間の上下左右側面部に、吸込み口６を設けられている。また、本体ケース２の天面部に、略四角形状の吹出し口８とこの吹出し口８に設けた風向ルーバー９を備えている。
【００２７】
図１に示すように本体ケース２の内部には、吸込み口６から吹出し口８に至る空気流路７を形成している。
【００２８】
送風ファン３は、フィルタ４の下流側に設けられ、回転によって風を流すことができる。なお、送風ファン３として、例えば、シロッコファンやターボファン、プロペラファンやクロスフローファンが直流または交流電流によって駆動するモーターによって回転駆動するものが上げられる。シロッコファンであれば低回転数でも高い静圧がとれ、ターボファンであれば他よりファン効率がよく、プロペラファンであれば低回転数でも大きい風量
がとれ、クロスフローファンであれば吹出気流が幅広にできるので、場合に応じて最適な方法を選択すればよい。
【００２９】
フィルタ４は、本体ケース２の吸込み口６の背面側に位置しており、吸込み口６側からプレフィルタ１１、集塵フィルタ１２、脱臭フィルタ１３の順で構成されている。
【００３０】
つまり、送風ファン３によって、吸込み口６から本体ケース２内に吸気された室内の空気は、フィルタ４、送風ファン３を介して吹出し口８へと送風される構成となっており、室内の汚染空気をフィルタ４で清浄して、室内へ送風されるものである。
【００３１】
なお、フィルタ４としては、例えば、樹脂繊維を格子状に編んで形成される略平板形状のプレフィルタ１１と、濾材を蛇腹状に折り曲げて形成される略直方体形状の集塵フィルタ１２と、活性炭等の吸着剤を樹脂性の網に添着させた脱臭フィルタ１３によって構成するものがあげられる。このような構成とすると、本体ケース２内に取り込まれた空気から塵埃を除去するとともに、花粉・細菌等の小さな粒子とタバコ臭等のにおいを除去し、空気を清浄化することができる。
【００３２】
捕集分析部材５は、フィルタ４下方の並列した位置に設けられ、フィルタ４と同様に本体ケース２の吸込み口６の背面側に位置している。そして、室内空気は、また、捕集分析部材５、送風ファン３を介して吹出し口８から室内へ送風される構成となっており、室内汚染物質を捕集分析部材５で捕集されるものである。
【００３３】
このような構成により、空気清浄装置１を稼動し、室内空気を清浄化する際に、捕集分析部材５が室内汚染物質を捕集できるので、大風量での空気処理が可能であり、短期間で簡便に室内空間全体の汚染物質が捕集できる。尚、捕集分析部材５はフィルタ４と同様に粗大粒子を捕集するプレフィルタ、微粒子を捕集する集塵フィルタ、ガス物質を捕集する脱臭フィルタとで構成されていることが好ましく、その外周には支持枠が設けられている。
【００３４】
この様な構成にすることにより汚染物質を大きさ別に選択的に捕集できる。その結果として、分析時における汚染物質の抽出が容易になるので室内空気汚染物質の正確な定性・定量分析ができる。
【００３５】
次に、本実施の形態の特徴である捕集分析部材５が収納されている収納ケース１４について図１〜図３を用いて説明する。図２に示すように、収納ケース１４は、６面の内、対向する２面が開閉可能な蓋１５となっており、残り４面で捕集分析部材５の外周を覆うように胴体部を形成している。この胴体部に隙間なく捕集分析部材５が収まるようになっているが、わずかな隙間から空気がリークしないように、予め、捕集分析部材５と収納ケース１４の胴体部が接触する４面を接着しておくとよい。但し分析時に収納ケース１４から捕集分析部材５を取り出す必要が生じる場合は、接着はせずに、シーリング材などで４面に隙間ができないようにすれば良い。
【００３６】
収納ケース１４の２枚の蓋１５は胴体部の１辺で接合されており、その辺を中心に蓋１５が回転することで開閉できる構成となっている。２枚の蓋１５は胴体部の同じ面側で接合されていることが望ましい。これにより、蓋１５を開いた状態で本体ケース２に収納したときに、蓋１５がフィルタ４に干渉することを防ぐことができる。尚、本実施の形態では接着シールにより蓋をする構成とするために、いわゆるサック箱（Ｂ式箱）のように蓋の先端に胴体部に差し込むためのフラップを設けてはいないが、接着シールの代わりにフラップを設けて胴体部にフラップを差し込むことで蓋をする構成としても良い。その場合は収納ケースの胴体部と捕集分析部材５の４面を接着する際にフラップに干渉しないよう
に接着すると良い。
【００３７】
図１に示すように、捕集分析部材５が収められた収納ケース１４は、フィルタ４の下部に並列して設置されている。フィルタ４と収納ケース１４の間にはリブ１７が設けられており、収納ケース１４を取り出す際にフィルタ４には干渉しないようになっている。また、本体ケース２の奥部には、収納ケース１４の下流側の蓋１５を開いた状態で固定するための溝１８が設けられており、蓋１５を溝に差し込む状態で収納ケース１４を本体ケース２に設置することで、蓋１５は接続されている胴体部と同一平面上で固定され、風の流れを遮ることがないため、適切に室内の汚染物質を捕集分析部材５に捕集することができる。
【００３８】
尚、本体ケース２の奥部とは、ここでは捕集分析部材５の下流側が本体ケース２内で対向する面を示す。また、本実施の形態では固定するために溝を設けた構成としているが、下流側の蓋１５が固定できる構成であれば、爪形状などいかなる形や構成であっても何ら効果に差異はない。また、本実施の形態では、蓋１５の固定角度は、接続されている胴体部と同一平面上となる角度で固定しているが、図３に示すように、風の流れを遮らない範囲で上方に角度をつけた状態で蓋を固定する位置に溝を設けることで、下流側の蓋１５によって、空気の流れがスムースに上方へ流れる風路を形成し、乱流を抑制するようにしても良い。
【００３９】
次に、収納ケースの上流側の蓋１５が空気清浄装置運転時に汚れないようにするためのフロントパネル１０と蓋押さえ部１６の構成について説明する。
【００４０】
図３に示すように、本体ケース２とフロントパネル１０の間には吸込み口６として隙間が空いており、上下左右の４方向から空気を吸込むことができる。そこで、図４に示すように、蓋押さえ部１６は、フロントパネル１０の下部において内側が上下に連通するダクト形状にすることで通風口を確保し、下部からの空気の流れを遮ることなく捕集分析部材５に空気を流すことが可能である。
【００４１】
収納ケース１４の上流側の蓋１５は、広角に開いた状態でフロントパネル１０に具備された蓋押さえ部１６の外側によって押さえつけられ、全面が覆われた状態で固定されている。広角に開いた状態とは、蓋１５と蓋１５が接続されている収納ケースの胴体部との角度が１８０度以上の角度で開いている状態であり、こうすることでフロントパネル１０を取り付けたときに、蓋押さえ部１６によって蓋１５は押されて下方に開き、最終的に蓋押さえ部１６に覆われた状態となる。
【００４２】
更に、蓋押さえ部１６は、蓋１５と接触する面が下方に向かってフロントパネル側に近づくように傾斜が設けられており、こうすることでフロントパネルを取り付けたときに、蓋押さえ部１６によって蓋１５が確実に下方へ押さえられることができる。空気清浄装置１の運転時は上流側の蓋１５は常に蓋押さえ部１６によって外気が当たらない状態となっているため、汚染物質に晒されることなく清潔な状態を保つことができる。捕集分析部材５を本体ケース２から取り外す時には、フロントパネル１０を本体ケース２から取り外した際に蓋押さえ部１６も取り除かれることで、使用者は上流側の蓋１５に触れることができるが、蓋１５は外気に晒されずに清潔な状態を保っているため、使用者は衛生的に安心して蓋に触れることができる。尚、下流側の蓋１５は外気に晒された状態ではあるが、フィルタ４によって汚染物質が取り除かれた後の清浄空気であるため、殆ど汚れることはない。尚、収納ケースの素材としては、紙、樹脂、金属、ゴムなど様々なものが考えられるが、使用者が簡便且つ安全に取り扱えて、発送する際に強度的にも適していることからボール紙やダンボールなどの紙、または樹脂が好ましい。
【００４３】
また、収納ケース１４の蓋１５の捕集分析部材５と接触する側の面には、蓋１５の縁に沿って剥離接着シール２０が設けられている。使用者は収納ケース１４の蓋１５をするとき、剥離接着シール２０の剥離紙を剥がして接着剤が塗布された面を出し、蓋１５を指で持ち上げてフィルタ４の枠部分と接着面を合わせることで手を汚すことなく、簡便に密閉することができる。この場合、まず汚染物質に覆われたフィルタ４の上流面に蓋１５をすることで、使用者が取り外し時に汚染物質に触れることなく、また、取りはずし時の振動によって汚染物質が脱離して再飛散することを防ぐことができる。
【００４４】
図５は上流側の蓋１５を閉じた状態である。蓋１５をすることで外層面に具備したつまみ１９が現れる。使用者はこのつまみ１９を持って手前に引き出すことで捕集分析部材５が収まった収納ケース１４を容易に取り出すことが可能である。
【００４５】
収納ケース１４を本体ケース２から取り出した後は、下流側の蓋１５の剥離接着シール２０を剥がし、下流側の蓋１５をすることで、捕集分析部材５を完全に密閉された状態にすることができる。
【００４６】
捕集分析部材５には予め送付先が印字された送付先ラベル２１が貼られており、使用者はそのまま発送することが可能である。また、捕集分析部材５にはフィルタ４の上流側を示す表示２２が為されており、密閉された状態でもどちらがフィルタ４の上流面かが判断できるようになっており、分析機関で収納ケース１４を展開する際に汚染物質の飛散を抑制することができる。
【００４７】
尚、本実施の形態では詳細は記載しないが、送付した捕集分析部材５の使用者のユーザー情報や、空気清浄装置１の使用条件などを管理するために、例えば収納ケース１４の一部に識別コードを付与し、スマートフォンやパソコンなどの外部通信端末装置を介して、ユーザー情報と分析結果を紐付けすることも可能であり、こうすることでより正確な室内の空気質情報を使用者に提供することができる。
【００４８】
以上のように、本実施の形態では、使用者は捕集分析部材５を本体ケース２から取り外す時、まず初めにフロントパネル１０を本体ケース２から取りはずし、蓋押さえ部１６によって覆われていた上流側の蓋１５を出現させる。このとき、上流側の蓋１５は蓋押さえ部１６によってカバーされていたために汚れることなく、清潔な状態を保ってたれている。次に、使用者は剥離接着シール２０を剥がし、蓋１５を持ち上げてフィルタ面と貼り合わせることで上流面を密閉する。次に、蓋をすることで現れる外層面に具備されたつまみ１９を持ち、手前に引き出すことで本体ケース２から捕集分析部材５を容易に取り出すことができる。収納ケース１４を本体ケース２から取り出した後は、下流側の蓋１５の剥離接着シール２０を剥がし、下流側の蓋１５をすることで、捕集分析部材５を完全に密閉された状態にすることができる。最後に使用者は密閉した捕集分析部材５を発送することで、収納ケース１４に記載された発送先に捕集分析部材５を送付することができる。この簡易な一連の作業において、使用者は汚染物質に殆ど手を触れることなく、衛生的且つ簡便に捕集分析部材を発送し、後日分析結果を取得することが可能となる。
【００４９】
（実施の形態２）
本発明による空気清浄装置１に搭載する収納ケース１４の概略図を図６に示す。図１〜図５と同じ構成、作用は同一番号を付し説明は省略する。図６に示すように収納ケース１４の蓋１５の捕集分析部材５と接触する側の面には、蓋１５の全面に剥離接着シール２０が設けられている。使用者は収納ケース１４の蓋をするとき、剥離接着シール２０の剥離紙を剥がして接着剤が塗布された面を出し、蓋１５を指で持ち上げて捕集分析部材５の枠部分と接着面を合わせることで手を汚すことなく、簡便に密閉することができる。まず汚染物質に覆われた捕集分析部材５の上流面に蓋１５をすることで、使用者が取り外し時に
汚染物質に触れることなく、また、取りはずし時の振動によって汚染物質が脱離して再飛散することを防ぐことができる。また、本実施の形態では、蓋１５の全面に接着面が存在することで、蓋１５をした際に捕集分析部材５に捕集された汚染物質がフタの接着面に転写されるため、送付先の分析機関で分析する際に、簡便に分析ができる。
【産業上の利用可能性】
【００５０】
本発明の空気清浄装置は、短期間で簡便に室内空間の環境状態を正確に分析できるため、家庭用または業務用の空気清浄装置における汚染物質の捕集・分析装置として有用である。
【符号の説明】
【００５１】
１    空気清浄装置
２    本体ケース
３    送風ファン
４    フィルタ
５    捕集分析部材
６    吸込み口
７    空気流路
８    吹出し口
９    風向ルーバー
１０  フロントパネル
１１  プレフィルタ
１２  集塵フィルタ
１３  脱臭フィルタ
１４  収納ケース
１５  蓋
１６  蓋押さえ部
１７  リブ
１８  溝
１９  つまみ
２０  剥離接着シール
２１  送付先ラベル
２２  表示
【図１】
0006589133.tif 000002
【図２】
0006589133.tif 000003
【図３】
0006589133.tif 000004
【図４】
0006589133.tif 000005
【図５】
0006589133.tif 000006
【図６】
0006589133.tif 000007